(57)【要約】  本発明は、生体情報測定装置による測定結果のバラツキを抑制し、測定の精度を向上させることを目的とする。  生体情報測定装置（１００）は、生体情報を検知するセンサ（２）を装着するセンサ装着部（３）を有する本体ケース（１）と、センサ装着部（３）に接続された測定部（６）と、測定部に接続された制御部（７）と、制御部（７）に接続された第１のタイマ（１１）と、制御部（７）に接続された第２のタイマ（１２）とを備える。制御部（７）は、測定部（６）において測定動作を実行させる測定モードを有する。測定モードにおいて、制御部（７）は、第１のタイマ（１１）を用いて予め設定された測定タイミングに基づく測定動作を実行させ、第２のタイマ（１２）を用いて予め設定された測定タイミングに基づく測定動作の適否を判断する。
2014057625.tif 000002
【特許請求の範囲】
【請求項１】
生体情報を検知するセンサを装着するセンサ装着部を有する本体ケースと、
前記センサ装着部に接続された測定部と、
前記測定部に接続された制御部と、
前記制御部に接続された第１のタイマと、
前記制御部に接続された第２のタイマと、
を備え、
前記制御部は、前記測定部において測定動作を実行させる測定モードを有し、
前記測定モードにおいて、前記制御部は、
前記第１のタイマを用いて予め設定された測定タイミングに基づく測定動作を実行させ、
前記第２のタイマを用いて前記予め設定された測定タイミングに基づく測定動作の適否を判断する、
生体情報測定装置。
【請求項２】
前記制御部は、前記測定モードにおいて、前記測定部における前記予め設定された測定タイミングと実際の測定タイミングとのズレの有無を判断する、
請求項１に記載の生体情報測定装置。
【請求項３】
更に、前記制御部に接続された表示部を備え、
前記制御部は、前記表示部に対し、前記測定タイミングのズレの有無に応じた情報を表示させる、
請求項２に記載の生体情報測定装置。
【請求項４】
前記第２のタイマは、前記測定部により前記測定動作が行われる前に、前記制御部により起動される、
請求項１から３のいずれか一つに記載の生体情報測定装置。
【請求項５】
前記第２のタイマは、セラミック発振子により構成される、
請求項１から４のいずれか一つに記載の生体情報測定装置。
【請求項６】
前記第２のタイマは、前記制御部内に一体に設けられた、
請求項５に記載の生体情報測定装置。
【請求項７】
前記制御部は、
前記測定モードにおいて、予め設定された複数の測定タイミングで測定動作を実行し、
前記第２のタイマを用いて前記予め設定された複数の測定タイミングに基づく各測定動作の適否を判断する、
請求項１から６のいずれか一つに記載の生体情報測定装置。
【請求項８】
前記制御部は、前記測定モードにおいて、前記予め設定された複数の測定タイミングのうち一以上の測定タイミングに基づき測定動作が実行された場合には、前記一以上の測定タイミングと実際の測定タイミングとのズレの有無を判断する、
請求項７に記載の生体情報測定装置。
【請求項９】
本体ケースと、
前記本体ケースに設けられ、生体情報を検知するセンサを装着するセンサ装着部と、
前記センサ装着部に接続され、前記生体情報を測定する測定部と、
前記測定部に接続され、前記測定部に前記生体情報を測定させる制御部と、
前記制御部に接続され、前記測定部が前記生体情報を測定するための、予め設定された少なくとも一つの第１の測定タイミングを取得する第１のタイマと、
前記制御部に接続され、前記第１の測定タイミングに基づき前記測定部により前記生体情報を測定するタイミングである第２の測定タイミングを取得する第２のタイマと、
を備え、
前記制御部は、
前記第１の測定タイミングと前記第２の測定タイミングとのズレを判断し、
前記ズレが所定範囲内である場合のみ、前記測定部による前記生体情報の測定を完了させる、
生体情報測定装置。
【請求項１０】
前記第１のタイマ及び前記第２のタイマは、独立して動作する、
請求項９に記載の生体情報測定装置。
【請求項１１】
前記制御部は、前記測定部に測定させるための測定モードを実行し、
前記第２のタイマは、前記測定モードの開始後に起動される、
請求項９又は１０に記載の生体情報測定装置。
【請求項１２】
前記制御部は、前記ズレが所定範囲を超える場合、エラー情報を出力する、
請求項９から１１のいずれかに記載の生体情報測定装置。
【請求項１３】
前記第１の測定タイミング及び前記第２の測定タイミングはそれぞれ複数の測定タイミングであり、
前記制御部は、各前記第１の測定タイミングと各前記第２の測定タイミングとのズレを判断し、前記ズレすべてが所定範囲内である場合のみ、前記測定部による前記生体情報の測定を完了させる、
請求項９から１２のいずれかに記載の生体情報測定装置。
【請求項１４】
前記制御部は、前記ズレが所定範囲内である場合のみ、前記生体情報の測定結果を出力する、請求項９から１３のいずれかに記載の生体情報測定装置。
【発明の詳細な説明】
【技術分野】
【０００１】
本開示は、例えば、血液中から血糖値等の生体情報を測定する生体情報測定装置に関するものである。
【背景技術】
【０００２】
従来、例えば、生体情報測定センサの装着部を有する本体ケースと、装着部に接続された測定部と、この測定部に接続された制御部と、この制御部に接続されたタイマと、を備える生体情報測定装置が知られている。かかる生体情報測定装置において、制御部は、測定部において生体情報の測定を行う測定モードを実行する。この測定モードにおいては、生体情報測定装置は、タイマを用いて予め設定された測定タイミングに基づく測定動作を実行し、この測定値により血糖値を算出する（例えば、特許文献１参照）。
【先行技術文献】
【特許文献】
【０００３】
【特許文献１】特表平５−５０２７２７号公報
【発明の概要】
【発明が解決しようとする課題】
【０００４】
従来の生体情報測定装置においては、タイマを用いて予め設定されたタイミングで生体情報の測定を実行し、その測定値をもとに血糖値を算出する。【０００５】
しかしながら、この種の生体情報測定装置においては、極めて希ではあるが、予め設定されたタイミングで測定が実行されない状況が発生する。【０００６】
その原因は、この事象自体が極めて希にしか発生しないことでもあり、特定することは難しいが、現在考察されている原因の一つとしては、測定環境、電源電圧等が挙げられている。今のところ原因は特定されるに至っていないが、何らかの対策を立てることが求められている。【０００７】
つまり、予め設定されたタイミングで測定を実行しないと、最終的に算出される血糖値にもバラツキが発生し、正確な測定が実行できないおそれがあり、これを防ぐ必要がある。【０００８】
本開示における生体情報測定装置は、測定の精度を向上させるのに有効な生体情報測定装置を提供する。
【課題を解決するための手段】
【０００９】
本開示の第１の観点に係る生体情報測定装置は、生体情報を検知するセンサを装着するセンサ装着部を有する本体ケースと、センサ装着部に接続された測定部と、測定部に接続された制御部と、制御部に接続された第１のタイマと、制御部に接続された第２のタイマとを備える。制御部は、測定部において測定動作を実行させる測定モードを有する。測定モードにおいて、制御部は、第１のタイマを用いて予め設定された測定タイミングに基づく測定動作を実行させ、第２のタイマを用いて予め設定された測定タイミングに基づく測定動作の適否を判断する。【００１０】
本開示の第２の観点に係る生体情報測定装置は、本体ケースと、センサ装着部と、測定部と、制御部と、第１のタイマと、第２のタイマと、を備える。センサ装着部は、本体ケースに設けられ、生体情報を検知するセンサを装着する。測定部は、センサ装着部に接続され、生体情報を測定する。制御部は、測定部に接続され、測定部に生体情報を測定させる。第１のタイマは、制御部に接続され、測定部が生体情報を測定するための、予め設定された少なくとも一つの第１の測定タイミングを取得する。第２のタイマは、制御部に接続され、第１の測定タイミングに基づき測定部により生体情報を測定するタイミングである第２の測定タイミングを取得する。制御部は、第１の測定タイミングと第２の測定タイミングとのズレを判断し、ズレが所定範囲内である場合のみ、測定部による生体情報の測定を完了させる。
【発明の効果】
【００１１】
本開示における生体情報測定装置は、測定の精度を向上させるのに有効である。
【図面の簡単な説明】
【００１２】
【図１】実施の形態１に係る生体情報測定装置の外観斜視図
【図２】同生体情報測定装置のブロック図
【図３】同生体情報測定装置の動作を示すフローチャート
【図４】同生体情報測定装置の測定時の印加電圧の波形を示す図
【図５】同生体情報測定装置の測定時の測定信号の波形を示す図
【発明を実施するための形態】
【００１３】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、発明者らは、当業者が本開示を十分に理解するために添付図面および以下の説明を提供するのであって、これらによって特許請求の範囲に記載の主題を限定することを意図するものではない。
【００１５】
（実施の形態１）
[１．１  構成]
図１は、実施の形態１に係る測定器１００（生体情報測定装置の一例）の外観を概略的に示す。測定器１００は、血液中から血糖値（生体情報の一例）を測定する。測定器１００は、本体ケース１（本体ケースの一例）を備える。
【００１６】
本体ケース１は、ほぼ長方形状に形成され、その一端側には、長板形状の血糖値センサ（センサの一例）２を装着するセンサ装着部３（センサ装着部の一例）を有している。また、本体ケース１の外表面には、一端側に電源スイッチ５、他端側に表示部４（表示部の一例）が設けられている。
【００１７】
図２は、測定器１００の内部構成を概略的に示す。本体ケース１の内部には、図２に示すごとく、センサ装着部３に電気的に接続される測定部６（測定部の一例）と、この測定部６に接続された制御部７（制御部の一例）が配置されている。制御部７には、表示部４、電源スイッチ５、電池８、この制御部７の制御プログラムが記録されたＲＯＭ９、及び記憶部１０が接続されている。
【００１８】
制御部７には更に、時計１１（第１のタイマの一例）が接続されている。時計１１は、例えば水晶発振子により構成されているので時刻および時間の精度が高い。この時計１１の時刻や時間を利用して、制御部７が各種制御動作を実行する。
【００１９】
また、制御部７は、測定部６により測定動作を実行させる測定モードを実行する。この測定モードにおいては、時計１１のタイマ機能（第１のタイマの一例）を用いて、予め設定された複数の測定タイミングに基づいて測定動作が実行される。なお、時計１１のタイマ機能は、カウントアップタイマとしている。
【００２０】
そして、複数の測定タイミングに基づいて測定された複数個の測定値により測定部６が血糖値を算出し、その値が表示部４に表示される。
【００２１】
この測定時に、極めて希ではあるが、予め設定されたタイミングで測定が実行されない状況が発生する。その原因は、この事象自体が極めて希にしか発生しないことでもあり、特定することは難しいが、例えば、現在考察されている原因の一つとしては、測定環境、電源電圧等が挙げられる。今のところ原因を特定するには至っていないが、何らかの対策を立てることが求められている。つまり、予め設定された測定タイミングで測定を実行しないと、最終的に算出される血糖値にもバラツキが発生するおそれがあり、これを抑制することが必要である。
【００２２】
そこで、本実施形態においては、制御部７に、予め設定された複数の測定タイミングに基づく測定の適否を確認する確認タイマ（第２のタイマの一例）１２を接続する。そして、制御部７は、測定モードにおいて、測定部６における予め設定された測定タイミングに対するズレの有無を、確認タイマ１２を用いて判断する。なお、確認タイマ１２は、例えばセラミック発振子により構成されたカウントアップタイマとしている。
【００２３】
以上の構成を有することにより、測定器１００は、詳細は後述するが、時計１１を用いて実行された測定が、制御部７の設定する測定タイミングで正確に実行されたか否か、つまり予め設定された測定タイミング（第１の測定タイミングの一例）と実際の測定タイミング（第２の測定タイミングの一例）とのズレの有無を、確認タイマ１２により確認することができ、その結果として、測定結果のバラツキを抑制することができる。
【００２４】
例えば、測定部６における測定の実行が、制御部７が予め設定する測定タイミングに基づいて実行されなかった場合には、表示部４を用いて使用者に再度の測定を促し、それによって適切な測定を実行することができるので、測定結果の精度を向上させることができる。
【００２５】
なお、上述のごとく、確認タイマ１２は、セラミック発振子のカウントアップタイマで、たとえば１秒間で１０００カウントのカウントを実施する。なお、セラミック発振子は、時計１１の水晶発振子と較べて精度が劣るが、それは１ヶ月や１年の単位で影響が出るのであって、測定時間の数秒間に対しては、十分な精度を持っている。
【００２６】
[１．２  動作]
以上の構成を有する測定器１００の動作について、図３を参照しながら以下に説明する。
【００２７】
血糖値の測定を行う場合、先ず、使用者が、図１に示す電源スイッチ５を押して電源をＯＮにし、血糖値センサ２の一端側に設けた端子１３をセンサ装着部３に装着する。すると、端子１３はセンサ装着部３に機械的、電気的に接続され、測定準備が完了する（図３のＳ１）。
【００２８】
なお、測定部６は、血糖値センサ２の端子１３に電圧を印加して血糖値センサ２に流れる電流を検出し、この電流を電流−電圧変換により電圧に変換し、この電圧値を測定するようになっている。
【００２９】
次に、使用者が血糖値センサ２の他端側に設けた点着部１４に血液を点着すると、血液が血糖値センサ２の試薬（図示せず）と反応する。この反応を測定部６が電流−電圧変換された電圧として検出することにより、制御部７は点着部１４に血液が点着されたことを検知する（図３のＳ２）。
【００３０】
血液の点着が検知されると、制御部７は測定モードに移行する。測定モードにおいては、制御部７は、時計１１のタイマ機能を用いて、予め設定された測定タイミングに基づいて血糖値の測定動作を実行する。具体的には、制御部７は、時計１１のタイマ機能を用いて、図４に示すような電圧切替タイミングｔ０〜ｔ３、および図５に示すような測定タイミングｔｍ１〜ｔｍｎを作成する。これら電圧切替タイミングｔ０〜ｔ３と、測定タイミングｔｍ１〜ｔｍｎは、予め記憶部１０に記憶させる。
【００３１】
図４に示す電圧切替タイミングｔ０は測定が開始される時である。制御部７は、この電圧切替タイミングｔ０で確認タイマ１２を起動させる。確認タイマ１２は、例えば、１秒間で１０００カウントのカウントアップを開始する。本実施形態の確認タイマ１２は、制御部７が測定モードとなって血糖値の測定が開始された直後であって、測定部６により血糖値を算出するための実測定が行われる前に、制御部７により起動される（図３のＳ３）。
【００３２】
また、制御部７は、血糖値センサ２の試薬（図示せず）と点着された血液との反応を促進するため、測定部６を用いて電圧Ｖ１を、図４の電圧切替タイミングｔ０から電圧切替タイミングｔ１までの時間Ｔ１（たとえば２秒）間、血糖値センサ２の端子１３に印加する（図３のＳ３）。
【００３３】
その後、制御部７は、電圧切替タイミングｔ１において電圧Ｖ１の印加を終了させ、電圧切替タイミングｔ１から電圧切替タイミングｔ２までの所定時間（たとえば１秒）、血液と試薬（図示せず）の反応を継続させる（図３のＳ４）。
【００３４】
この１秒間の所定時間経過後、制御部７は、測定部６を用いて測定電圧Ｖ２を、電圧切替タイミングｔ２から電圧切替タイミングｔ３までの測定時間Ｔ２（たとえば２秒）の間、血糖値センサ２の端子１３に印加する（図３のＳ５）。
【００３５】
この測定時間Ｔ２の間に、測定部６は、血糖値を算出するための実測定を複数回行う。
【００３６】
一方、確認タイマ１２のカウントは、予め設定された測定タイミングによれば、例えば、電圧切替タイミングｔ０で０、電圧切替タイミングｔ１で２０００、電圧切替タイミングｔ２で３０００、電圧切替タイミングｔ３で５０００となる。
【００３７】
図５は、上記電圧Ｖ１と測定電圧Ｖ２の印加に対応する電流波形を示したものである。
【００３８】
制御部７は、測定部６を用いて測定を実施する。具体的には、電圧切替タイミングｔ２からタイミングｔ３までの測定時間Ｔ２の間、時計１１を使用して、例えば測定間隔が１００ｍｓの間隔で、測定タイミングｔｍ１、ｔｍ２、ｔｍ３、・・・ｔｍｎと２０回の測定を行う。一方、確認タイマ１２のカウントは、予め設定された測定タイミングによれば、測定タイミングｔｍ１で３１００、測定タイミングｔｍ２で３２００、測定タイミングｔｍ３で３３００、測定タイミングｔｍｎ（本実施形態では、電圧切替タイミングｔ３）で５０００となる。
【００３９】
以下、本実施形態に係る測定器１００による測定時間Ｔ２における測定動作について説明する。
【００４０】
制御部７は、先ず、時計１１により測定タイミングｔｍ１となったことを検知する（図３のＳ６）。
【００４１】
このとき、制御部７は、確認タイマ１２のカウントを取得（図３のＳ７）する。
【００４２】
そして、測定部６における予め設定された測定タイミングに対する実際の測定タイミングのズレの有無を判断する（図３のＳ８）。具体的には、制御部７は、確認タイマ１２のカウントを確認し、確認タイマ１２のカウントが、測定時間Ｔ２における測定タイミング（１００ｍｓ間隔）に対して例えば２％（カウント数でプラスマイナス２）以内の時には、測定されたタイミングは許容範囲内とする。つまり、測定タイミングｔｍ１においては、カウント数が３０９８〜３１０２の範囲内の時には、測定のタイミングは許容範囲内とし、制御部７は、測定部６における予め設定された測定タイミングに対する実際の測定タイミングのズレは無いと判断する。
【００４３】
測定タイミングのズレが無い時には、測定部６で検出した電圧を測定し、この測定値を記憶部１０に記憶する（図３のＳ９）。
【００４４】
このように、時計１１を用いて実行された測定が、制御部７の設定する測定タイミングで正確に実行されたか否か（つまり、予定の測定タイミングと実際の測定タイミングの間のズレの有無）を、確認タイマ１２により確認することができる。その結果として、極めて希に発生する測定結果のバラツキを抑制し、測定の精度を向上させることができる。
【００４５】
そして、測定タイミングｔｍ１から測定タイミングｔｍｎまで、測定タイミングのズレの有無を判断しながら、測定時間Ｔ２が経過するまで実測定を繰り返す（図３のＳ６〜Ｓ１０を繰り返す）。
【００４６】
その後、取得した複数の測定値をもとにして、測定部６が血糖値を算出する（図３のＳ１１）。
【００４７】
制御部７は、確認タイマ１２を停止して血糖値測定を終了する。これで測定モードは終了とし、血糖値の測定は完了する（図３のＳ１２）。
【００４８】
なお、図３のＳ８で、測定のタイミングが許容範囲外の時は、予め設定された測定タイミングと実際の測定タイミングとの間にズレが発生している状態である。つまり、上述のごとく、極めて希ではあるが、予め設定されたタイミングで測定が実行されない状況が起こっていると考えられる。本実施形態の制御部７には、測定部６における測定タイミングに対するズレの有無に応じた情報を表示する表示部４を接続している。
【００４９】
このため、測定部６における測定が、制御部７が予め設定する測定タイミングに基づいて実行されなかった場合には、制御部７は、表示部４にエラー表示（測定タイミングに対するズレが生じたことによる情報の表示）を行う（図３のＳ１３）。
【００５０】
このエラー表示により、使用者に再度の測定を促すことができ、これにより適切な測定を実行することができる。その結果として、極めて希に発生する測定結果のバラツキを抑制して、測定の精度を向上させることができる。
【００５１】
その後、制御部７は、図３のＳ２に制御を戻し、使用者が新たな血糖値センサ２をセンサ装着部３に装着し、再度の測定を実施する。なお、前回の測定時に測定タイミングのズレが発生した場合であっても、連続して発生する可能性は極めて低い。よって、今回は、適切な測定が実施されることとなる（図３のＳ２〜図３のＳ１２）。
【００５２】
[１．３  その他構成等]
本実施形態においては、確認タイマ１２は、上述のごとく、図３のＳ３で制御部７が測定モードとなった時に起動させる。つまり、測定部６により血糖値を算出するための実測定が行われる（図３のＳ６〜図３のＳ１０の繰り返し）前に起動させ、血糖値の測定の終了時（図３のＳ１１で測定モードの終了時）に停止するものである。このため、測定モード中に、極めて希に発生する測定タイミングのズレの有無を検出することができることに加え、この測定モード以外は、確認タイマ１２を他の目的に使用でき、この確認タイマ１２を有効に活用することができる。また、これと反対に、他の目的に使用していたタイマを、測定モード中だけ確認タイマとして転用することもできる。
【００５３】
さらに、本実施形態においては、上述のごとく、第１のタイマである時計１１を水晶発振子で構成し、第２のタイマである確認タイマをセラミック発振子により構成したものである。つまり、２つのタイマは、異なる材質とし、別々の系統で構成する。このため、それぞれのタイマの独立性が高まり、時計１１を用いて実行された測定が、制御部７の設定する測定タイミングで正確に実行されたか否かを、別系統の確認タイマ１２により適切に確認することができ、その結果として、測定の精度を向上させることができる。
【００５４】
なお、本実施形態においては、上述のごとく、制御部７に、確認タイマ１２を接続して設けたが、確認タイマ１２を制御部７の内部に一体にして設けてもよい。つまり、セラミック発振子は、水晶発振子に比べ小型で安価であるため、制御部７の基準クロックや信号源として使用されることも多い。このように制御部７がセラミック発振子を有する場合には、確認タイマ１２を制御部７の内部に一体にして設けると、制御部７内のセラミック発振子を利用することができ、確認タイマ１２を簡単に構成することができる。
【００５５】
また、本実施形態においては、水晶発振子で構成した時計１１を第１のタイマとして用いたが、セラミック発振子で構成したタイマを第１のタイマとして、測定に用いても良い。セラミック発振子は、上述のごとく、測定時間である数秒間に対しては十分な精度を持っているので、第１のタイマを簡単に構成することができる。
【００５６】
なお、本実施形態においては、複数の測定タイミングに基づく測定を例にとって説明したが、これに限定されない。測定モードにおいて、予め設定された測定タイミングに基づく測定が１回でも行われた場合は、測定部６における測定タイミングのズレの有無を判断する構成としてもよい。
【００５７】
また、生体情報として血糖値を例に挙げていたが、これに限定されない。例えば、コレステロール値等、その他血液や唾液等の生体試料から得られる情報であってもよい。
【００５８】
[１．４  効果等]
本実施形態に係る測定器１００によれば、血糖値（生体情報の一例）を測定する血糖値センサ２（センサの一例）を装着するセンサ装着部３（センサ装着部の一例）を有する本体ケース１と、センサ装着部３に接続された測定部６（測定部の一例）と、この測定部６に接続された制御部７（制御部の一例）と、この制御部７に接続された時計（第１のタイマの一例）１１と、制御部７に接続された確認タイマ１２（第２のタイマの一例）とを備えている。制御部７は、測定部６において測定動作を実行させる測定モードを有し、この測定モードにおいては、制御部７は、時計１１を用いて予め設定された測定タイミングに基づく測定動作を実行させ、確認タイマ１２を用いて予め設定された測定タイミングに基づく測定動作の適否を判断する。
【００５９】
本実施形態の測定器１００によれば、制御部７は、測定モードにおいて、時計１１を用いて予め設定された測定タイミングに基づく測定動作を実行させ、この制御部７に、測定動作が測定タイミングで正確に実行されたか否かを確認する確認タイマ１２を接続する。このため、時計１１を用いて実行された測定が、制御部７の設定する測定タイミングで正確に実行されたか否かを、確認タイマ１２により確認することができる。その結果として、血糖値測定の精度を向上させることができるのである。
【００６０】
例えば、測定部６における測定の実行が、制御部７が設定する測定タイミングに基づいて実行されなかった場合には、使用者に再度の測定を促し、適切な測定を実行することができる。よって、極めて希に発生する測定結果のバラツキを抑制することができる。
【００６１】
（その他実施の形態）
以上のように、本開示における技術の例示として、上記実施の形態を説明した。そのために、添付図面および詳細な説明を提供した。
【００６２】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６３】
また、上述の実施の形態は、本開示における技術を例示するためのものであるから、特許請求の範囲またはその均等の範囲において種々の変更、置き換え、付加、省略などを行うことができる。
【産業上の利用可能性】
【００６４】
本開示は、血液中から血糖値のような生体情報を測定する生体情報測定器に適用可能である。
【符号の説明】
【００６５】
１  本体ケース
２  血糖値センサ
３  センサ装着部
４  表示部
５  電源スイッチ
６  測定部
７  制御部
８  電池
９  ＲＯＭ
１０  記憶部
１１  時計
１２  確認タイマ
１３  端子
１４  点着部
１００  測定器
ｔ０，ｔ１，ｔ２，ｔ３  電圧切替タイミング
Ｖ１  電圧
Ｖ２  測定電圧
Ｔ１  時間
Ｔ２  測定時間
ｔｍ１，ｔｍ２，ｔｍ３、ｔｍｎ  測定タイミング
【図１】
2014057625.tif 000003
【図２】
2014057625.tif 000004
【図３】
2014057625.tif 000005
【図４】
2014057625.tif 000006
【図５】
2014057625.tif 000007
【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
生体情報を検知するセンサを装着するセンサ装着部を有する本体ケースと、
前記センサ装着部に接続された測定部と、
前記測定部に接続された制御部と、
前記制御部に接続された第１のタイマと、
前記制御部に接続された第２のタイマと、
を備え、
前記制御部は、前記測定部において測定動作を実行させる測定モードを有し、
前記測定モードにおいて、前記制御部は、
前記第１のタイマを用いて予め設定された測定タイミングに基づく測定動作を実行させ、
前記第２のタイマを用いて前記予め設定された測定タイミングに基づく測定動作の適否を判断する、
生体情報測定装置。
【請求項２】
前記制御部は、前記測定モードにおいて、前記測定部における前記予め設定された測定タイミングと実際の測定タイミングとのズレの有無を判断する、
請求項１に記載の生体情報測定装置。
【請求項３】
更に、前記制御部に接続された表示部を備え、
前記制御部は、前記表示部に対し、前記測定タイミングのズレの有無に応じた情報を表示させる、
請求項２に記載の生体情報測定装置。
【請求項４】
前記第２のタイマは、前記測定部により前記測定動作が行われる前に、前記制御部により起動される、
請求項１から３のいずれか一つに記載の生体情報測定装置。
【請求項５】
前記第２のタイマは、セラミック発振子により構成される、
請求項１から４のいずれか一つに記載の生体情報測定装置。
【請求項６】
前記第２のタイマは、前記制御部内に一体に設けられた、
請求項５に記載の生体情報測定装置。
【請求項７】
前記制御部は、
前記測定モードにおいて、予め設定された複数の測定タイミングで測定動作を実行し、
前記第２のタイマを用いて前記予め設定された複数の測定タイミングに基づく各測定動作の適否を判断する、
請求項１から６のいずれか一つに記載の生体情報測定装置。
【請求項８】
前記制御部は、前記測定モードにおいて、前記予め設定された複数の測定タイミングのうち一以上の測定タイミングに基づき測定動作が実行された場合には、前記一以上の測定タイミングと実際の測定タイミングとのズレの有無を判断する、
請求項７に記載の生体情報測定装置。
【請求項９】
本体ケースと、
前記本体ケースに設けられ、生体情報を検知するセンサを装着するセンサ装着部と、
前記センサ装着部に接続され、前記生体情報を測定する測定部と、
前記測定部に接続され、前記測定部に前記生体情報を測定させる制御部と、
前記制御部に接続され、前記測定部が前記生体情報を測定するための、予め設定された少なくとも一つの第１の測定タイミングを取得する第１のタイマと、
前記制御部に接続され、前記第１の測定タイミングに基づき前記測定部により前記生体情報を測定するタイミングである第２の測定タイミングを取得する第２のタイマと、
を備え、
前記制御部は、
前記第１の測定タイミングと前記第２の測定タイミングとのズレを判断し、
前記ズレが所定範囲を超える場合はエラー情報を出力し、
前記ズレが所定範囲内である場合のみ、前記測定部による前記生体情報の測定を完了させる、
生体情報測定装置。
【請求項１０】
前記第１のタイマ及び前記第２のタイマは、独立して動作する、
請求項９に記載の生体情報測定装置。
【請求項１１】
前記制御部は、前記測定部に測定させるための測定モードを実行し、
前記第２のタイマは、前記測定モードの開始後に起動される、
請求項９又は１０に記載の生体情報測定装置。
【請求項１２】
前記第１の測定タイミング及び前記第２の測定タイミングはそれぞれ複数の測定タイミングであり、
前記制御部は、
各前記第１の測定タイミングと各前記第２の測定タイミングとのズレを判断し、
前記ズレが所定範囲を超える場合はエラー情報を出力し、
前記ズレすべてが所定範囲内である場合のみ、前記測定部による前記生体情報の測定を完了させる、
請求項９から１１のいずれかに記載の生体情報測定装置。
【請求項１３】
前記制御部は、前記ズレが所定範囲内である場合のみ、前記生体情報の測定結果を出力する、請求項９から１２のいずれかに記載の生体情報測定装置。
【国際調査報告】
2014057625.tif 000008
2014057625.tif 000009
2014057625.tif 000010